(57)【要約】      （修正有）【課題】ネットワーク通信機能を搭載しないオーディオ機器であっても、コンパクトディスクのＴＯＣデータを用いた楽曲属性データの配信を受け得るような仕組みを提供すること。【解決手段】メモリプレーヤ２０からＣＤのＴＯＣ領域に記録されたバイナリデータを含むリクエストを携帯電話３０経由でサーバへ送信させ、リクエストを受信したサーバからそのリクエストに含まれるバイナリデータと対応する楽曲属性データを配信させるようにした。【選択図】図２
2007304817.tif 000002
【特許請求の範囲】
【請求項１】
コンパクトディスク再生装置と、携帯型音楽ファイル再生端末と、無線通信端末とを含むシステムによる楽曲属性データ配信方法であって、
前記コンパクトディスク再生装置が、自装置に装填されたコンパクトディスクのＴＯＣ領域に記録されたバイナリデータを読み出す第１の行程と、
前記バイナリデータを読み出したコンパクトディスク再生装置が、前記装填されたコンパクトディスクのプログラム領域に記録されたアルバム一枚分の各楽曲のオーディオデータの中から選択された全部又は一部のオーディオデータをその収録順に読み出し、読み出したオーディオデータの各々から所定のデータ形式のオーディオデータファイルを生成する第２の行程と、
前記オーディオデータファイルを生成したコンパクトディスク再生装置が、前記第２の行程にてオーディオデータをファイル化した際のファイル化手順を少なくとも示すファイルデータと前記第１の行程で読み出したバイナリデータとを含むＴＯＣデータファイルを生成する第３の行程と、
前記ＴＯＣデータファイルを生成したコンパクトディスク再生装置が、そのＴＯＣデータファイルと前記第２の行程にて生成したオーディオデータファイルを前記携帯型音楽ファイル再生端末へ送信する第４の行程と、
前記コンパクトディスク再生装置からＴＯＣデータファイルとオーディオデータファイルを受信した携帯型音楽ファイル再生端末が、受信したＴＯＣデータファイルとオーディオデータファイルを自端末のメモリに記憶させると共にそのＴＯＣデータファイルに含まれるバイナリデータを前記無線通信端末へ送信する第５の行程と、
前記携帯型音楽ファイル再生端末からバイナリデータを受信した無線通信端末が、受信したバイナリデータを含む楽曲属性データ配信リクエストを移動体通信網へ発信する第６の行程と、
前記楽曲属性データ配信リクエストを発信した無線通信端末が、その楽曲属性データ配信リクエストに含まれるバイナリデータにより一意に特定されるアルバムに収録された各楽曲の属性を示す楽曲属性データをその収録順に従って取り纏めた楽曲属性データセットを移動体通信網から受信し、受信した楽曲属性データセットを前記携帯型音楽ファイル再生端末へ送信する第７の行程と、
前記無線通信端末から楽曲属性データセットを受信した携帯型音楽ファイル再生端末が、その楽曲属性データセットを成す各楽曲属性データを埋め込むべき自端末のメモリのオーディオデータファイルを前記第５の行程にて自端末のメモリに記憶させたＴＯＣデータファイルの内容を基に特定し、特定したオーディオデータファイルに楽曲属性データをそれぞれ埋め込む第８の行程と、
前記オーディオデータファイルへ楽曲属性データを埋め込んだ携帯型音楽ファイル再生端末が、自端末の操作子より再生が指示されたオーディオデータファイルを楽音として再生すると共に、そのオーディオデータファイルに含まれる楽曲属性データが示す楽曲の属性を自端末の表示部に表示させる第９の行程と
を有する楽曲属性データ配信方法。
【請求項２】
コンパクトディスク再生装置と、無線通信ユニットを搭載した携帯型音楽ファイル再生端末とを含むシステムによる楽曲属性データ配信方法であって、
前記コンパクトディスク再生装置が、自装置に装填されたコンパクトディスクのＴＯＣ領域に記録されたバイナリデータを読み出す第１の行程と、
前記バイナリデータを読み出したコンパクトディスク再生装置が、前記装填されたコンパクトディスクのプログラム領域に記録されたアルバム一枚分の各楽曲のオーディオデータの中から選択された全部又は一部のオーディオデータをその収録順に読み出し、読み出したオーディオデータの各々から所定のデータ形式のオーディオデータファイルを生成する第２の行程と、
前記オーディオデータファイルを生成したコンパクトディスク再生装置が、前記第２の行程にてオーディオデータをファイル化した際のファイル化手順を少なくとも示すファイルデータと前記第１の行程で読み出したバイナリデータとを含むＴＯＣデータファイルを生成する第３の行程と、
前記ＴＯＣデータファイルを生成したコンパクトディスク再生装置が、そのＴＯＣデータファイルと前記第２の行程にて生成したオーディオデータファイルを前記携帯型音楽ファイル再生端末へ送信する第４の行程と、
前記コンパクトディスク再生装置からＴＯＣデータファイルとオーディオデータファイルを受信した携帯型音楽ファイル再生端末が、受信したＴＯＣデータファイルとオーディオデータファイルを自端末のメモリに記憶させると共にそのＴＯＣデータファイルのバイナリデータを含む楽曲属性データ配信リクエストを自身の無線通信ユニットを介して移動体通信網へ発信する第５の行程と、
前記楽曲属性データ配信リクエストを発信した携帯型音楽ファイル再生端末が、その楽曲属性データ配信リクエストに含まれるバイナリデータにより一意に特定されるアルバムに収録された各楽曲の属性を示す楽曲属性データをその収録順に従って取り纏めた楽曲属性データセットを移動体通信網から自身の無線通信ユニットを介して受信し、受信した楽曲属性データセットを前記携帯型音楽ファイル再生端末へ送信する第６の行程と、
前記携帯型音楽ファイル再生端末から楽曲属性データセットを受信した携帯型音楽ファイル再生端末が、その楽曲属性データセットを成す各楽曲属性データを埋め込むべき自端末のメモリのオーディオデータファイルを前記第５の行程にて自端末のメモリに記憶させたＴＯＣデータファイルの内容を基に特定し、特定したオーディオデータファイルに楽曲属性データをそれぞれ埋め込む第７の行程と、
前記オーディオデータファイルへ楽曲属性データを埋め込んだ携帯型音楽ファイル再生端末が、自端末の操作子より再生が指示されたオーディオデータファイルを楽音として再生すると共に、そのオーディオデータファイルに含まれる楽曲属性データが示す楽曲の属性を自端末の表示部に表示させる第８の行程と
を有する楽曲属性データ配信方法。
【請求項３】
請求項１又は２に記載の楽曲属性データ配信方法において、
前記システムは、
各アルバム毎の楽曲属性データセットを、それら各アルバムのコンパクトディスクのＴＯＣ領域に記録されたバイナリデータと各々対応付けて自身の記憶部に記憶させたサーバを有し、
前記発信された楽曲属性データ配信リクエストを受信した前記サーバが、そのリクエストに含まれるバイナリデータと対応付けて自身の記憶部に記憶された楽曲属性データセットを読み出し、読み出した楽曲属性データセットを楽曲属性データ配信リクエストの発信元に宛てて発信する行程
を更に有する楽曲属性データ配信方法。
【請求項４】
請求項３に記載の楽曲属性データ配信方法において、
前記コンパクトディスクのＴＯＣ領域に記録されたバイナリデータは、
アルバムの先頭からそのアルバムに含まれる一連の楽曲の各々の再生開始までの時間長を、分、秒、及びフレームによって指し示したバイナリデータである
楽曲属性データ配信方法。
【請求項５】
コンパクトディスクのプログラム領域に記録されたアルバム一枚分の各楽曲の中から選択された全部又は一部のオーディオデータを示す所定のデータ形式のオーディオデータファイルと、そのコンパクトディスクのＴＯＣ領域に記録されていたバイナリデータ及び前記オーディオデータをオーディオデータ化した際のファイル化手順を少なくとも示すファイルデータを含むＴＯＣデータファイルとを入力する入力手段と、
無線通信端末と接続されるインターフェースと、
前記入力手段から入力されたＴＯＣデータファイルとオーディオデータファイルとを記憶する記憶手段と、
前記記憶されたＴＯＣデータファイルのバイナリデータを含む楽曲属性データ配信リクエストを前記インターフェースを介して無線通信端末へ送信する送信手段と、
前記送信した楽曲属性データ配信リクエストに含まれるバイナリデータにより一意に特定されるアルバムに収録された各楽曲の属性を示す楽曲属性データをその収録順に従って取り纏めた楽曲属性データセットを前記インターフェースを介して無線通信端末から受信すると、その楽曲属性データセットを成す各楽曲属性データを埋め込むべき前記記憶手段のオーディオデータファイルを当該記憶手段に記憶されたＴＯＣデータファイルの内容を基に特定し、特定したオーディオデータファイルに楽曲属性データをそれぞれ埋め込む埋込手段と、
オーディオデータの再生を指示する操作子と、
前記操作子を介して再生が指示されたオーディオデータファイルを楽音として再生する再生制御部と、
前記操作子を介して再生が指示されたオーディオデータファイルに含まれる楽曲属性データが示す楽曲の属性を表示する表示部と
を備えた携帯型音楽ファイル再生端末。
【請求項６】
コンパクトディスクのプログラム領域に記録されたアルバム一枚分の各楽曲の中から選択された全部又は一部のオーディオデータを示す所定のデータ形式のオーディオデータファイルと、そのコンパクトディスクのＴＯＣ領域に記録されていたバイナリデータ及び前記オーディオデータをファイル化した際のファイル化手順を少なくとも示すファイルデータを含むＴＯＣデータファイルとを入力する入力手段と、
無線通信手段と、
前記入力手段から入力されたＴＯＣデータファイルとオーディオデータファイルとを記憶する記憶手段と、
前記記憶されたＴＯＣデータファイルのバイナリデータを含む楽曲属性データ配信リクエストを前記無線通信手段から無線信号として発信させる送信手段と、
前記発信した楽曲属性データ配信リクエストに含まれるバイナリデータにより一意に特定されるアルバムのコンパクトディスクに収録された各楽曲の属性を示す楽曲属性データをその収録順に従って取り纏めた楽曲属性データセットを示す無線信号を前記無線通信手段が受信すると、その無線信号から得た楽曲属性データセットを成す各楽曲属性データを埋め込むべき前記記憶手段のオーディオデータファイルを当該記憶手段に記憶されたＴＯＣデータファイルの内容を基に特定し、特定したオーディオデータファイルに楽曲属性データをそれぞれ埋め込む埋込手段と、
オーディオデータの再生を指示する操作子と、
前記操作子を介して再生が指示されたオーディオデータファイルを楽音として再生する再生制御部と、
前記操作子を介して再生が指示されたオーディオデータファイルに含まれる楽曲属性データが示す楽曲の属性を表示する表示部と
を備えた携帯型音楽ファイル再生端末。
【発明の詳細な説明】
【技術分野】
【０００１】
本発明は、楽曲属性データ配信方法に関する。      
【背景技術】
【０００２】
ハードディスク等の記憶装置を備えた携帯型音楽ファイル再生端末（以下、「メモリプレーヤ」と呼ぶ）が普及している（例えば、特許文献１を参照）。メモリプレーヤは、従来の携帯型の音楽再生装置と異なり、プレーヤ内部にある書き換え可能な記憶装置にオーディオデータを記録するものである。そのため、メモリプレーヤのユーザは、コンパクトディスクやＭＤといった記録媒体を持ち歩くことなく楽曲を聴取することができる。また、そのような記録媒体そのものを搭載する必要がないため、メモリプレーヤは大幅な小型化を実現し、携帯性を向上させることが可能となった。
【０００３】
メモリプレーヤで楽曲を聴取するためには、オーディオデータファイルをコンパクトディスクから作成したりインターネット経由で取得したりして、これを記憶装置に記憶させる作業が必要となる。また、このとき、オーディオデータには、楽曲の曲名やアーティスト名などといった楽曲の属性に関するデータ（以下、「楽曲属性データ」と呼ぶ）を付加することもできる。楽曲属性データを付加してこれを再生時に適宜表示することにより、ユーザが容易に認識できる形式でオーディオデータを管理しておくことが可能となる。
【０００４】
ところで、周知のように、コンパクトディスクのＴＯＣ（Table Of Contents）領域には、収録された各楽曲の各々の再生開始までの時間長などを示すバイナリデータがいわゆるＴＯＣデータとして記録されている。そして、例えば、グレースノート社のＣＤＤＢ（登録商標）のように、コンパクトディスクのＴＯＣ領域から読み出したＴＯＣデータを含むリクエストのサーバへの送信と引き換えに、そのＴＯＣデータにより一意に特定されるアルバムの楽曲属性データをダウンロードさせるシステムが既に実用化されている。
【特許文献１】特開平１１−２８８５５８号公報
【発明の開示】
【発明が解決しようとする課題】
【０００５】
しかしながら、この種のシステムは、ステレオミニコンポなどのオーディオ機器自体にネットワーク通信機能を搭載させることなしに構築することができないという問題があった。
本発明は、このような背景の下に案出されたものであり、ネットワーク通信機能を搭載しないオーディオ機器であっても、コンパクトディスクのＴＯＣデータを用いた楽曲属性データの配信を受け得るような仕組みを実現することを目的とする。
【課題を解決するための手段】
【０００６】
本発明の好適な態様である楽曲属性データ配信方法は、コンパクトディスク再生装置と、携帯型音楽ファイル再生端末と、無線通信端末とを含むシステムによる楽曲属性データ配信方法であって、前記コンパクトディスク再生装置が、自装置に装填されたコンパクトディスクのＴＯＣ領域に記録されたバイナリデータを読み出す第１の行程と、前記バイナリデータを読み出したコンパクトディスク再生装置が、前記装填されたコンパクトディスクのプログラム領域に記録されたアルバム一枚分の各楽曲のオーディオデータの中から選択された全部又は一部のオーディオデータをその収録順に読み出し、読み出したオーディオデータの各々から所定のデータ形式のオーディオデータファイルを生成する第２の行程と、前記オーディオデータファイルを生成したコンパクトディスク再生装置が、前記第２の行程にてオーディオデータをファイル化した際のファイル化手順を少なくとも示すファイルデータと前記第１の行程で読み出したバイナリデータとを含むＴＯＣデータファイルを生成する第３の行程と、前記ＴＯＣデータファイルを生成したコンパクトディスク再生装置が、そのＴＯＣデータファイルと前記第２の行程にて生成したオーディオデータファイルを前記携帯型音楽ファイル再生端末へ送信する第４の行程と、前記コンパクトディスク再生装置からＴＯＣデータファイルとオーディオデータファイルを受信した携帯型音楽ファイル再生端末が、受信したＴＯＣデータファイルとオーディオデータファイルを自端末のメモリに記憶させると共にそのＴＯＣデータファイルに含まれるバイナリデータを前記無線通信端末へ送信する第５の行程と、前記携帯型音楽ファイル再生端末からバイナリデータを受信した無線通信端末が、受信したバイナリデータを含む楽曲属性データ配信リクエストを移動体通信網へ発信する第６の行程と、前記楽曲属性データ配信リクエストを発信した無線通信端末が、その楽曲属性データ配信リクエストに含まれるバイナリデータにより一意に特定されるアルバムに収録された各楽曲の属性を示す楽曲属性データをその収録順に従って取り纏めた楽曲属性データセットを移動体通信網から受信し、受信した楽曲属性データセットを前記携帯型音楽ファイル再生端末へ送信する第７の行程と、前記無線通信端末から楽曲属性データセットを受信した携帯型音楽ファイル再生端末が、その楽曲属性データセットを成す各楽曲属性データを埋め込むべき自端末のメモリのオーディオデータファイルを前記第５の行程にて自端末のメモリに記憶させたＴＯＣデータファイルの内容を基に特定し、特定したオーディオデータファイルに楽曲属性データをそれぞれ埋め込む第８の行程と、前記オーディオデータファイルへ楽曲属性データを埋め込んだ携帯型音楽ファイル再生端末が、自端末の操作子より再生が指示されたオーディオデータファイルを楽音として再生すると共に、そのオーディオデータファイルに含まれる楽曲属性データが示す楽曲の属性を自端末の表示部に表示させる第９の行程とを有する。
【０００７】
本発明の別の好適な態様である楽曲属性データ配信方法は、コンパクトディスク再生装置と、無線通信ユニットを搭載した携帯型音楽ファイル再生端末とを含むシステムによる楽曲属性データ配信方法であって、前記コンパクトディスク再生装置が、自装置に装填されたコンパクトディスクのＴＯＣ領域に記録されたバイナリデータを読み出す第１の行程と、前記バイナリデータを読み出したコンパクトディスク再生装置が、前記装填されたコンパクトディスクのプログラム領域に記録されたアルバム一枚分の各楽曲のオーディオデータの中から選択された全部又は一部のオーディオデータをその収録順に読み出し、読み出したオーディオデータの各々から所定のデータ形式のオーディオデータファイルを生成する第２の行程と、前記オーディオデータファイルを生成したコンパクトディスク再生装置が、前記第２の行程にてオーディオデータをファイル化した際のファイル化手順を少なくとも示すファイルデータと前記第１の行程で読み出したバイナリデータとを含むＴＯＣデータファイルを生成する第３の行程と、前記ＴＯＣデータファイルを生成したコンパクトディスク再生装置が、そのＴＯＣデータファイルと前記第２の行程にて生成したオーディオデータファイルを前記携帯型音楽ファイル再生端末へ送信する第４の行程と、前記コンパクトディスク再生装置からＴＯＣデータファイルとオーディオデータファイルを受信した携帯型音楽ファイル再生端末が、受信したＴＯＣデータファイルとオーディオデータファイルを自端末のメモリに記憶させると共にそのＴＯＣデータファイルのバイナリデータを含む楽曲属性データ配信リクエストを自身の無線通信ユニットを介して移動体通信網へ発信する第５の行程と、前記楽曲属性データ配信リクエストを発信した携帯型音楽ファイル再生端末が、その楽曲属性データ配信リクエストに含まれるバイナリデータにより一意に特定されるアルバムに収録された各楽曲の属性を示す楽曲属性データをその収録順に従って取り纏めた楽曲属性データセットを移動体通信網から自身の無線通信ユニットを介して受信し、受信した楽曲属性データセットを前記携帯型音楽ファイル再生端末へ送信する第６の行程と、前記携帯型音楽ファイル再生端末から楽曲属性データセットを受信した携帯型音楽ファイル再生端末が、その楽曲属性データセットを成す各楽曲属性データを埋め込むべき自端末のメモリのオーディオデータファイルを前記第５の行程にて自端末のメモリに記憶させたＴＯＣデータファイルの内容を基に特定し、特定したオーディオデータファイルに楽曲属性データをそれぞれ埋め込む第７の行程と、前記オーディオデータファイルへ楽曲属性データを埋め込んだ携帯型音楽ファイル再生端末が、自端末の操作子より再生が指示されたオーディオデータファイルを楽音として再生すると共に、そのオーディオデータファイルに含まれる楽曲属性データが示す楽曲の属性を自端末の表示部に表示させる第８の行程とを有する。
【０００８】
この態様において、前記システムは、各アルバム毎の楽曲属性データセットを、それら各アルバムのコンパクトディスクのＴＯＣ領域に記録されたバイナリデータと各々対応付けて自身の記憶部に記憶させたサーバを有し、前記発信された楽曲属性データ配信リクエストを受信した前記サーバが、そのリクエストに含まれるバイナリデータと対応付けて自身の記憶部に記憶された楽曲属性データセットを読み出し、読み出した楽曲属性データセットを楽曲属性データ配信リクエストの発信元に宛てて発信する行程を有してもよい。
【０００９】
また、前記コンパクトディスクのＴＯＣ領域に記録されたバイナリデータは、アルバムの先頭からそのアルバムに含まれる一連の楽曲の各々の再生開始までの時間長を、分、秒、及びフレームによって指し示したバイナリデータであってもよい。
【００１０】
本発明の別の好適な態様である携帯型音楽ファイル再生端末は、コンパクトディスクのプログラム領域に記録されたアルバム一枚分の各楽曲の中から選択された全部又は一部のオーディオデータを示す所定のデータ形式のオーディオデータファイルと、そのコンパクトディスクのＴＯＣ領域に記録されていたバイナリデータ及び前記オーディオデータをオーディオデータ化した際のファイル化手順を少なくとも示すファイルデータを含むＴＯＣデータファイルとを入力する入力手段と、無線通信端末と接続されるインターフェースと、前記入力手段から入力されたＴＯＣデータファイルとオーディオデータファイルとを記憶する記憶手段と、前記記憶されたＴＯＣデータファイルのバイナリデータを含む楽曲属性データ配信リクエストを前記インターフェースを介して無線通信端末へ送信する送信手段と、前記送信した楽曲属性データ配信リクエストに含まれるバイナリデータにより一意に特定されるアルバムに収録された各楽曲の属性を示す楽曲属性データをその収録順に従って取り纏めた楽曲属性データセットを前記インターフェースを介して無線通信端末から受信すると、その楽曲属性データセットを成す各楽曲属性データを埋め込むべき前記記憶手段のオーディオデータファイルを当該記憶手段に記憶されたＴＯＣデータファイルの内容を基に特定し、特定したオーディオデータファイルに楽曲属性データをそれぞれ埋め込む埋込手段と、オーディオデータの再生を指示する操作子と、前記操作子を介して再生が指示されたオーディオデータファイルを楽音として再生する再生制御部と、前記操作子を介して再生が指示されたオーディオデータファイルに含まれる楽曲属性データが示す楽曲の属性を表示する表示部とを備える。
【００１１】
本発明の別の好適な態様である携帯型音楽ファイル再生端末は、コンパクトディスクのプログラム領域に記録されたアルバム一枚分の各楽曲の中から選択された全部又は一部のオーディオデータを示す所定のデータ形式のオーディオデータファイルと、そのコンパクトディスクのＴＯＣ領域に記録されていたバイナリデータ及び前記オーディオデータをファイル化した際のファイル化手順を少なくとも示すファイルデータを含むＴＯＣデータファイルとを入力する入力手段と、無線通信手段と、前記入力手段から入力されたＴＯＣデータファイルとオーディオデータファイルとを記憶する記憶手段と、前記記憶されたＴＯＣデータファイルのバイナリデータを含む楽曲属性データ配信リクエストを前記無線通信手段から無線信号として発信させる送信手段と、前記発信した楽曲属性データ配信リクエストに含まれるバイナリデータにより一意に特定されるアルバムのコンパクトディスクに収録された各楽曲の属性を示す楽曲属性データをその収録順に従って取り纏めた楽曲属性データセットを示す無線信号を前記無線通信手段が受信すると、その無線信号から得た楽曲属性データセットを成す各楽曲属性データを埋め込むべき前記記憶手段のオーディオデータファイルを当該記憶手段に記憶されたＴＯＣデータファイルの内容を基に特定し、特定したオーディオデータファイルに楽曲属性データをそれぞれ埋め込む埋込手段と、オーディオデータの再生を指示する操作子と、前記操作子を介して再生が指示されたオーディオデータファイルを楽音として再生する再生制御部と、前記操作子を介して再生が指示されたオーディオデータファイルに含まれる楽曲属性データが示す楽曲の属性を表示する表示部とを備える。
【発明の効果】
【００１２】
本発明によると、ネットワーク通信機能を搭載しないオーディオ機器であっても、コンパクトディスクのＴＯＣデータを用いた楽曲属性データの配信を受けることができる。
【発明を実施するための最良の形態】
【００１３】
（発明の実施の形態）
本願発明の実施形態について説明する。
本実施形態は、以下に示す２つの特徴を有する。
１つ目の特徴は、曲名、アーティスト名、歌詞などといったような、コンパクトディスク（以下、「ＣＤ」と記す）に収録された各楽曲の属性を表す楽曲属性データを、それら各ＣＤのＴＯＣ領域に記録されたバイナリデータをインデックスとした上でサーバのデータベースに取り纏めておくようにした点である。
２つ目の特徴は、ＣＤに収録された楽曲のオーディオデータを再生するメモリプレーヤからそのＣＤのＴＯＣ領域に記録されたバイナリデータを含むリクエストを携帯電話経由でサーバへ送信させ、リクエストを受信したサーバからそのリクエストに含まれるバイナリデータと対応する楽曲属性データを配信させるようにした点である。
【００１４】
ここで、本実施形態を理解する前提となる、ＣＤのＴＯＣ領域の記録内容について説明しておく。ＴＯＣ領域は、楽曲の実体であるＰＣＭ（Pulse Code Modulation）オーディオデータを書き込む領域であるプログラム領域の内側に確保された、比較的小容量のバイナリデータを書き込む領域である。
図１は、ＴＯＣ領域に記録されたバイナリデータの一例を示す図である。図に示すように、ＴＯＣ領域には、プログラム領域にオーディオデータとして記録されている各楽曲の再生開始までの時間長が楽曲の収録順に記録されている。図の例を参照すると、最初の楽曲は、プログラム領域の先頭から２秒が経過したタイミングで再生開始され、２番目の楽曲は、４分１０秒と１１フレームが経過したタイミングで再生開始されるようになっていることが分かる。なお、１フレームは１／７５秒に相当する。当然ながら、各アルバムに収録された楽曲の再生開始のタイミングの組み合わせは１つとして同じものはないため、このＴＯＣ領域に記録されたバイナリデータを成すビットの配列は、各アルバム毎に固有のものとなっている。
【００１５】
図２は、本実施形態にかかるデータ配信システムの全体構成図である。このシステムは、ステレオミニコンポ１０、メモリプレーヤ２０、携帯電話３０、データ配信サーバ４０から構成される。本システムを利用するユーザは、ステレオミニコンポ１０、メモリプレーヤ２０、携帯電話３０を少なくとも１つずつ所有する。また、携帯電話３０は、移動パケット通信網９１、ゲートウェイ９２、インターネット９３を介してデータ配信サーバ４０とデータの遣り取りが可能となっている。
【００１６】
図３は、ステレオミニコンポ１０のハードウェア概略構成を示すブロック図である。ステレオミニコンポ１０は、ＣＤ再生部１１、ディスプレイ１２、操作子１３、スピーカ１４、信号出力部１５、及びこれら各部の動作を制御する制御部１６を有する。
図に示すように、ＣＤ再生部１１は、スピンドルモータ１１ａ、光学ヘッド１１ｂ、デコーダ１１ｃ、スレッド機構１１ｄなどを有する。これら各部の機能について概説すると、まず、ＣＤ再生部１１に装填されたＣＤは、スピンドルモータ１１ａによって一定速度で回転駆動されるようになっている。また、光学ヘッド１１ｂは、レーザダイオード、フォトディフレクタ、対物レンズ、その他の光学系を内蔵しており、スレッド機構１１ｄに導かれてディスクの半径方向を移動しながらＣＤに記録されているデータを読み出す。また、デコーダ１１ｃは、ＣＤのプログラム領域から光学ヘッド１１ｂが読み出したＰＣＭオーディオデータをアナログオーディオ信号に変換する。
【００１７】
ディスプレイ１２は、制御部１６による制御の下、楽曲の再生時間長や曲番などの各種情報を表示する。
操作子１３は、モードの指定や曲スキップなどの各種操作を受け付ける。このステレオミニコンポ１０は、通常再生モードのほかに、ファイル転送モードが指定できるようになっている。通常再生モードが指定されると、制御部１６は、デコーダ１１ｃがＰＣＭオーディオデータを変換して得たアナログオーディオ信号をスピーカ１４へ供給する。これにより、ＣＤに収録された楽曲がスピーカ１４から楽音として放音される。一方、ファイル転送モードが指定されると、制御部１６は、光学ヘッド１１ｂがＣＤのプログラム領域から読み出した各楽曲のＰＣＭオーディオデータからＭＰ３（MPEG Audio Layer-3）形式のオーディオデータファイルを生成すると共に、ＣＤのＴＯＣ領域から読み出したバイナリデータとその他の各種データとを含むＴＯＣデータファイルを生成し、それらのファイルを信号出力部１５を介してメモリプレーヤ２０へ供給する。これら両ファイルのデータ構造及びその生成手順については後の動作説明の項で詳述する。
【００１８】
図４は、メモリプレーヤ２０の外観を示した図であり、図５はそのハードウェア概略構成を示した図である。メモリプレーヤ２０は、記憶装置であるハードディスク２１、信号入力部２２、信号出力部２３、ＵＳＢ（Universal Serial Bus）ポート２４、ディスプレイ２５、操作子２６、及びこれら各部を制御する制御部２７を備える。制御部２７は、ＣＰＵ２７ａ、ＲＯＭ２７ｂ、ＲＡＭ２７ｃなどを内臓している。そして、制御部２７のＣＰＵ２７ａは、ＲＯＭ２７ｂやハードディスク２１に記憶された各種のプログラムを実行することによってメモリプレーヤ２０の各部を制御する。プログラムには、ＵＳＢポート２４を介した携帯電話３０との接続を可能とするためのＵＳＢホストドライバや、携帯電話３０を介してのインターネット通信を実現するためのＴＣＰ/ＩＰ(Transmission Control Protocol/Internet Protocol)ドライバ、ダイヤラおよびモデムコントローラ、音声圧縮・伸長を行うコーデックなどの各種プログラムが含まれる。
【００１９】
信号入力部２２は、ライン入力ジャックであり、ステレオミニコンポ１０より入力されてくるデータを制御部２７へ供給する。信号出力部２３は、ライン出力ジャックであり、制御部２７から供給されるアナログオーディオ信号をヘッドフォン９５へ出力する。
ディスプレイ２５は、メモリプレーヤ２０がオーディオデータファイルを再生中である場合にその楽曲の楽曲属性データを表示するほか、ユーザの操作に応じて各種の画面を表示する。
操作子２６は、各種ボタンを有し、ユーザからの入力を受けて楽曲の再生や停止、あるいは早送りや巻戻し等の指示を制御部２７に対して行う。ＵＳＢポート２４は携帯電話３０とデータの遣り取りを行うためのインターフェースである。
【００２０】
図２の説明に戻る。
携帯電話３０は、移動パケット通信網９１を介してインターネット９３にアクセスすることが可能な無線通信機能を搭載している、この携帯電話３０は、ＵＳＢモデムケーブルを介してメモリプレーヤ２０に接続され、ホスト装置であるメモリプレーヤ２０に対するクライアント装置として機能する。この場合において、携帯電話３０の通信方式は特に限定されるものでなく、いわゆる第２世代のＰＤＣ（Primary Domain Controller）方式であってもよいし、いわゆる第３世代のＩＭＴ（International Mobile Telecommunication ）−２０００方式であってもよい。
【００２１】
移動パケット通信網９１とインターネット９３は、各々が、固有の伝送プロトコルに従ってデータ伝送を行うノードからなるネットワークである。インターネット９３が従う伝送プロトコルには、ネットワーク層及びトランスポート層のＴＣＰ／ＩＰとこのＴＣＰ／ＩＰ上で実現されるＨＴＴＰやＨＴＴＰＳ等のプロトコルが含まれており、移動パケット通信網９１が従う伝送プロトコルには、ＴＣＰ／ＩＰを簡素化したプロトコルとＨＴＴＰ（およびＨＴＴＰＳ）に相当するプロトコルとが含まれている。
【００２２】
ゲートウェイ９２は、移動パケット通信網９１とインターネット９３とを相互接続するための移動パケット関門中継交換局に備えられたコンピュータシステムであり、ネットワーク間で異なる通信プロトコルの変換を行う。
【００２３】
図６は、データ配信サーバ４０のハードウェア概略構成を示す図である。図に示すように、データ配信サーバ４０は、インターネット９３とのデータの遣り取りを司るネットワークインターフェース４１、楽曲属性データベース４２ａを記憶したハードディスク４２、各種情報を表示するコンピュータコンピュータディスプレイ４３、各種情報を入力するマウス４４、及びこれら各部を制御する制御部４５を有する。
【００２４】
図７は、楽曲属性データベース４２ａのデータ構造図である。このデータベース４２ａは、各々が、ＣＤに収録された各アルバムと対応する複数のレコードの集合体である。そして、このデータベースを構成する１つのレコードは、「アルバム名」、「楽曲属性」、及び「検索コード」の３つのフィールドを有する。
「アルバム名」のフィールドには、アルバムの名称を示すアルバム名情報が記憶される。
「楽曲属性」のフィールドには、楽曲属性データセットが記憶される。楽曲属性データセットは、アルバム一枚に収録された各楽曲の楽曲属性データをその収録順に並べたデータセットである。つまり、このフィールドには、アルバムの第１トラックに収録された楽曲から順番に、アーティスト名や曲名なとどいった属性を示すデータが連ねて記録されている。
「検索コード」のフィールドには、検索コードデータが記憶される。検索コードデータは、各楽曲のＣＤのＴＯＣ領域に記憶されているバイナリデータと同じビット列を表すデータである。上述したように、ＣＤのＴＯＣ領域に記録されたバイナリデータは各アルバム毎に固有のビットの配列となっているため、ＣＤのＴＯＣ領域に記録されているバイナリデータを検索キーにして検索を行うことにより、参照されるべきレコードをデータベースから特定することが可能である。
【００２５】
図８は、本実施形態の特徴的な処理である楽曲属性ダウンロード処理を示すフローチャートである。
図に示す処理は、ステレオミニコンポ１０の信号出力部１５とメモリプレーヤ２０の信号入力部２２、及びメモリプレーヤ２０のＵＳＢポート２４と携帯電話３０をケーブル接続し、且つステレオミニコンポ１０のＣＤ再生部１１にＣＤを装填した状態で、ファイル転送モードでの起動がステレオミニコンポ１０の操作子１３を介して指示されたことをトリガーとして開始される。
【００２６】
ファイル転送モードでの起動が指示されると、ステレオミニコンポ１０の制御部１６は、トラック選択画面をディスプレイ１２に表示させる（Ｓ１００）。このトラック選択画面は、「オーディオファイル化する楽曲のトラック番号を選択してください。」という内容の文字列と、ＣＤに収録された各楽曲のトラック番号とを表示する。各楽曲のトラック番号は、ＣＤのＴＯＣ領域に記録されたバイナリコードから特定可能である。例えば、このＴＯＣ領域に、再生開始までの時間長を示すバイナリデータが５セット記録されていれば１乃至５のトラック番号が表示されることになり、１０セット記録されていれば１乃至１０のトラック番号が表示されることになる。
【００２７】
トラック選択画面を参照したユーザは、オーディオファイル化を希望する一又は複数の楽曲のトラック番号を操作子１３により選択した後、選択の確定を指示する。選択の確定が指示されると、制御部１６は、選択された各楽曲のオーディオデータファイルを順次生成する（Ｓ１１０）。オーディオデータファイルの生成は、選択されたトラック番号の楽曲のＰＣＭオーディオデータをＣＤのプログラム領域からトラック番号順に読み出し、読み出したオーディオデータの各々のデータ形式をＰＣＭからＭＰ３へ変換することにより行われる。この結果、本ステップでは、トラック選択画面にて選択されれたトラック番号の数と同じ数のオーディオデータファイルが取得されることになる。
【００２８】
続いて、制御部１６は、ＴＯＣデータファイルを生成する（Ｓ１２０）。このＴＯＣデータファイルは、ＣＤのＴＯＣ領域に記録されているバイナリデータとステップ１１０におけるオーディオデータのファイル化手順を示すデータとを含むデータファイルである。
【００２９】
このＴＯＣデータファイルのデータ構造について、図９を参照して詳述する。図９は、ＴＯＣデータファイルのデータ構造を示す図である。図に示すように、ＴＯＣデータファイルは、ファイル識別部８１、グローバル情報部８２、及びＴＯＣ部８３を有している。
ファイル識別部８１には、自ファイルが２番目のバージョンのＴＯＣデータファイルであることを識別するバイナリデータである、第１識別コード、第２識別コード、メジャー・バージョン情報、マイナー・バージョン情報が記録される。このファイル識別部８１の記憶内容は、ＣＤの記録内容に依存することなく予め設定されており、第１識別コードは0x54、第２識別コードは0x44である。現在のメジャー・バージョン番号は0x02、マイナー・バージョン番号は0x00であるが、将来ＴＯＣデータファイルの構造を改変する必要が生じた場合に、バージョン番号の値も更新される。
グローバル情報部８２は、自ファイルのデータサイズ、オーディオデータファイルの生成された最初と最後の楽曲のトラック番号、及び、オーディオデータファイルのファイル名の一部をトラック番号で識別する設定となっていた場合におけるファイル名の固定部（トラック番号を除いた部分）を示すバイナリデータが記録される。
【００３０】
ＴＯＣ部８３には、ＴＯＣ情報部８４とファイル情報部８５の各対が、ステップ１２０にて生成されたオーディオデータファイルの数だけ連ねて記録されている。つまり、ステップ１２０である１つの楽曲のオーディオデータファイルが生成される都度、そのオーディオデータファイルと対応するＴＯＣ情報部８４とファイル情報部８５の対が生成されてＴＯＣデータファイルのＴＯＣ部８３に内包されることになる。そして、ＴＯＣ部８３には、ＴＯＣ情報部８４とファイル情報部８５の対を最大１００組まで内包させることが可能である。
これら両情報部の記録内容について詳述すると、まず、ＴＯＣ情報部８４は、rsvd、ADR、trackNumber、rsvd2の各属性を示すバイナリデータに続けて、楽曲の開始タイミングを示すバイナリデータが記録される。例えば、ステップ１２０で第１トラックの楽曲のオーディオデータファイルが生成されていれば、その第１トラックの楽曲の再生開始タイミングを示すバイナリデータがＴＯＣ領域から抽出されてこのＴＯＣ情報部８４に内包されることになる。ファイル情報部８５には、ステップ１２０で生成されたファイル名を示すバイナリデータであるfileNameに続けて、fileExit、rsvd3、time、date、fileSizeの各属性を示すバイナリデータが記録される。
図には、ＴＯＣ情報部８４とファイル情報部８５の対を一組しか記していないが、ステップ１２０で生成されたオーディオデータが複数に及べば、それらの楽曲の再生開始タイミングのバイナリデータを含んだファイル情報部８５とＴＯＣ情報部８４の対がＴＯＣ部８３に連ねて記述されることになる。
【００３１】
図８において、ステレオミニコンポ１０の制御部１６は、ステップ１１０で生成したオーディオデータファイル、ステップ１２０で生成したＴＯＣデータファイル、及びＣＤのＴＯＣ領域に記録されている全バイナリデータを信号出力部１５を介してメモリプレーヤ２０へ出力する（Ｓ１３０）。
オーディオデータファイル、ＴＯＣデータファイル、及びＴＯＣ領域のバイナリデータがメモリプレーヤ２０へその信号入力部２２を介して入力されると、メモリプレーヤ２０の制御部２７は、オーディオデータファイルとＴＯＣデータファイルをハードディスク２１に記憶させる（Ｓ１４０）。
【００３２】
更に、制御部２７は、信号入力部２２を介して入力されたＴＯＣ領域のバイナリデータを含む楽曲属性データ配信リクエストをＵＳＢポート２４を介して携帯電話３０へ送信する（Ｓ１５０）。
楽曲属性データ配信リクエストが携帯電話３０へ送信されると、携帯電話３０は、その楽曲属性データ配信リクエストを自身の無線通信ユニットから無線信号として移動体パケット通信網へ発信する（Ｓ１６０）。
【００３３】
携帯電話３０から発信された楽曲属性データの無線信号は、移動パケット通信網９１を成す基地局、交換局、更にはゲートウェイ９２によるプロトコル変換を経てインターネット９３上の宛先であるデータ配信サーバ４０へ伝送される。
携帯電話３０から送信された楽曲属性データ配信リクエストをネットワークインターフェース４１を介して受信したデータ配信サーバ４０の制御部４５は、そのリクエストに含まれるＴＯＣ領域のバイナリデータとビットの並びを同じくする検索コードデータを「検索コード」のフィールドに記憶したレコードを、ハードディスク４２の楽曲属性データベース４２ａから特定する（Ｓ１７０）。
【００３４】
制御部４５は、ステップ１７０で特定したレコードの「楽曲属性」のフィールドに記憶された楽曲属性データセットを読み出す（Ｓ１８０）。
更に、制御部４５は、ステップ１８０で読み出した楽曲属性データセットを、楽曲属性データ配信リクエストの発信元の携帯電話３０に宛ててネットワークインターフェース４１から発信する（Ｓ１９０）。
【００３５】
ネットワークインターフェース４１から送信された楽曲属性データセットは、ゲートウェイ９２によるプロトコル変換を経た後、移動パケット通信網９１を成す交換局、基地局を経て、その宛先である携帯電話３０へ無線信号として伝送される。
データ配信サーバ４０から送信された楽曲属性データセットを受信した携帯電話３０は、その楽曲属性データセットをメモリプレーヤ２０へ送信する（Ｓ２００）。
【００３６】
楽曲属性データセットがメモリプレーヤ２０へそのＵＳＢポート２４を介して入力されると、メモリプレーヤ２０の制御部２７は、その楽曲属性データセットを成す各楽曲属性データを埋め込むべきハードディスク２１のオーディオデータファイルをＴＯＣデータファイルの内容を基に特定し、特定したオーディオデータファイルに楽曲属性データをそれぞれ埋め込む（Ｓ２１０）。
【００３７】
上述したように、楽曲属性データセットは、アルバム一枚に収録された各楽曲の楽曲属性データをその収録順に並べたデータセットである。一方で、ＴＯＣデータファイルの各ファイル情報部８５は、ＣＤから生成されたオーディオデータファイルのファイル名を示すバイナリデータであるfileNameを内包している。よって、オーディオデータファイルのファイル名の一部にトラック番号を含めるような設定とした上で、ＴＯＣデータファイルの各ファイル情報部８５に含まれる、ファイル名を示すバイナリデータを順次参照していくことにより、ダウンロードされた楽曲属性データセットからオーディオデータファイル化されているトラック番号の楽曲の楽曲属性データをまず抽出し、その抽出した楽曲属性データの各々とそれらを埋め込むべきオーディオデータファイルを対応付けることが可能である。
以上で楽曲属性ダウンロード処理が終了となる。
【００３８】
この後、ユーザが操作子２６の操作を通じて楽曲属性データの埋め込まれたオーディオデータファイルの１つを選択してその再生を指示すると、制御部２７は、選択されたオーディオデータファイルをデコードして得たアナログオーディオ信号を信号出力部２３からヘッドフォン９５へ出力すると共に、そのオーディオファイルに埋め込まれた楽曲属性データが示す属性（曲名、アーティスト名、歌詞など）をディスプレイ２５に表示させる。ユーザは、ヘッドフォン９５から放音される楽曲の楽音を聴取しながら、ディスプレイ２５に表示されるその楽曲の属性の詳細を閲覧することができる。
【００３９】
以上説明した本実施形態では、ステレオミニコンポ１０からＣＤのオーディオデータのデータ伝送を受けるメモリプレーヤ２０を携帯電話３０と接続し、オーディオデータと共に伝送されてくるＴＯＣ領域のテキストデータをその携帯電話３０から無線信号としてデータ配信サーバ４０へ送信できるようになっており、携帯電話３０宛てにデータ配信サーバ４０から返信されてくる楽曲属性データをディスプレイ２５に表示させるようになっている。よって、本実施形態によると、メモリプレーヤ２０やステレオミニコンポ１０などのオーディオ機器それ自体が通信機能を搭載したものでなかったとしても、インターネット９３に設置されたデータ配信サーバ４０へＣＤのＴＯＣ領域のバイナリデータを送信して楽曲属性データの配信を受けることができる。
【００４０】
更に、本実施形態では、ＣＤ再生部１１に装填されたＣＤのオーディオデータファイルを生成する際、生成されるオーディオデータファイルのファイル名とその順序の関係を示すデータを内包させたＴＯＣデータファイルを併せて生成するようになっている。よって、アルバム一枚分の全楽曲の楽曲属性データを取り纏めた楽曲属性データセットを受信することになるメモリプレーヤ２０は、このＴＯＣデータファイルの内容を参照することにより、受信した音楽属性データセットをなす各楽曲属性データとそれらの各々を埋め込むオーディオデータファイルを好適に対応付けることができる。  
【００４１】
（他の実施形態）
本願発明は、種々の変形実施が可能である。
上記実施形態において、データ配信サーバ４０から携帯電話３０経由でメモリプレーヤ２０に配信されてそのコンピュータディスプレイ４３に表示される楽曲属性データは、曲名、アーティスト名、歌詞などといったような各ＣＤに収録された楽曲の属性の詳細をテキスト列として表すものである必要はなく、アーティストの静止画や動画などの画像として楽曲の属性を表したものであってもよい。
【００４２】
上記実施形態は、ＣＤのプログラム領域に記録されたオーディオデータやそのＴＯＣ領域に記録されたテキストデータを読み出す機器がデジタルミニコンポであるとしてシステム構成を説明したが、ポータブルＣＤプレーヤなどといった他のオーディオ機器でこれを代用してもよい。
【００４３】
上記実施形態では、無線通信を司るユニットをメモリプレーヤ２０に搭載させず、メモリプレーヤ２０はＵＳＢポート２４を介して接続された携帯電話３０を通じてデータ配信サーバ４０との間のデータの遣り取りを実現していた。これに対し、メモリプレーヤ２０に無線通信ユニットを搭載させることにより、携帯電話３０を不要とする構成を採用してもよい。
【００４４】
上記実施形態において、ステレオミニコンポ１０は、ＰＣＭのオーディオデータからＭＰ３形式のオーディオデータファイルを生成してメモリプレーヤ２０に送信するようになっていたが、メモリプレーヤ２０がデコード可能なオーディオ信号圧縮方式の如何によっては、他のデータ形式のオーディオデータファイルを生成してもよい。
【００４５】
上記実施形態では、ＴＯＣデータファイルのファイル情報部８５に内包される、ファイル名を示すバイナリデータを参照することにより、楽曲属性データとそれらを埋め込むべきオーディオデータファイルとを対応付けるようになっていた。これに対し、ＴＯＣデータファイルのデータ構造のバリエーションの如何によっては、楽曲属性データとオーディオデータファイルの対応付けを他の手法により実現することも可能である。図１０は、本願出願人らがオーディオ機器への実装を試みているＴＯＣデータファイルの記録方式のバリエーションを示す図である。図において、「◎」の符号が付されている属性のバイナリデータは作成の度に異なる内容となるものであることを、「○」の符号が付されている属性のバイナリデータは必須のものであることを、「△」の符号が付されてい属性のバイナリデータは任意のものであることを、「−」の符号が付されている属性のバイナリデータは不要のものであることをそれぞれ示している。
【００４６】
図の標準方式、連番−１方式、連番−２方式においては、ＴＯＣデータファイルの各ファイル情報部８５に、トラック番号を含むファイル名のバイナリデータが含まれることになるので、上記実施形態と手法によって楽曲属性データとそれを埋め込むオーディオデータファイルとを対応付けることが可能である。また、ランダム−１、ランダム−２方式においても、作成されるオーディオデータファイルのヘッダには、トラック番号を含むファイル名が内包されるので、ＴＯＣデータファイルを参照することなく、オーディオデータファイルそのものファイル名を参照していくことにより、楽曲属性データとそれを埋め込むオーディオデータファイルとを対応付けることが可能である。
【００４７】
上記実施形態において、メモリプレーヤ２０は、オーディオデータファイルやＴＯＣデータファイルを記憶させておくための記憶装置としてハードディスク２１を搭載していたが、ＳＤメモリカードやＮＡＮＤ−ＦＬＡＳＨメモリなどの他のメモリデバイスでこれを代用してもよい。
【図面の簡単な説明】
【００４８】
【図１】ＴＯＣ領域に記録されたバイナリデータの一例を示す図である。
【図２】データ配信システムの全体構成図である。
【図３】ステレオミニコンポのハードウェア概略構成図である。
【図４】メモリプレーヤの外観図である。
【図５】メモリプレーヤのハードウェア概略構成を示した図である。
【図６】データ配信サーバのハードウェア概略構成図である。
【図７】楽曲属性データベースのデータ構造図である。
【図８】楽曲属性ダウンロード処理を示すフローチャートである。
【図９】ＴＯＣデータファイルのデータ構造図である。
【図１０】ＴＯＣデータファイルの記録方式を示す図である。
【符号の説明】
【００４９】
１０…ステレオミニコンポ、１１…ＣＤ再生部、１２…ディスプレイ、１３，２６…操作子、１４…スピーカ、１５，２３…信号出力部、１６，２７，４５…制御部、２０…メモリプレーヤ、２１，４２…ハードディスク、２２…信号入力部、２４…ＵＳＢポート、２５…ディスプレイ、３０…携帯電話、４０…データ配信サーバ、４１…ネットワークインターフェース、４２…ハードディスク、４３…コンピュータコンピュータディスプレイ、４４…マウス、８２…グローバル情報部、８３…ＴＯＣ部、８４…ＴＯＣ情報部、８５…ファイル情報部、９１…移動パケット通信網、９２…ゲートウェイ、９３…インターネット、９５…ヘッドフォン
【図１】
2007304817.tif 000003
【図２】
2007304817.tif 000004
【図３】
2007304817.tif 000005
【図４】
2007304817.tif 000006
【図５】
2007304817.tif 000007
【図６】
2007304817.tif 000008
【図７】
2007304817.tif 000009
【図８】
2007304817.tif 000010
【図９】
2007304817.tif 000011
【図１０】
2007304817.tif 000012